(57)【要約】  本発明による電気式ガスライタは、胴体及び上記胴体に対してスライド可能なスイッチを備え、上記スイッチは、タバコ箱に嵌められ得るように弾性変形可能なクリップ部を備え、上記クリップ部は、タバコ箱の壁面厚さよりも広い幅を有するガイド部；及び、上記タバコ箱の壁面厚さよりも狭い幅を有する固定部；を備え、タバコ箱などに嵌めて携帯可能で、そのタバコ箱に取り付けられた状態で点火が可能であることを特徴とする。
2011509391.tif 000002
【特許請求の範囲】
【請求項１】
胴体及び上記胴体に対してスライド可能なスイッチを備えた電気式ガスライタにおいて、
上記スイッチは、タバコ箱に嵌められ得るように弾性変形可能なクリップ部を備え、
上記クリップ部は、タバコ箱の壁面厚さよりも広い幅を有するガイド部；及び
上記タバコ箱の壁面厚さよりも狭い幅を有する固定部；を備えることを特徴とする携帯及び使用に便利な電気式ガスライタ。
【請求項２】
上記ガイド部の開放端は、上記クリップ部の長さ方向と垂直に形成されたフランジ部を備えることを特徴とする請求項１に記載の携帯及び使用に便利な電気式ガスライタ。
【請求項３】
上記クリップ部は、携帯電話などに連結ストラップによって連結可能なように連結ストラップ用孔を備え、
上記胴体は、点火時にユーザーの指が支持され得る溝部を備えることを特徴とする請求項１に記載の携帯及び使用に便利な電気式ガスライタ。
【請求項４】
上記胴体は、携帯用電子機器に使用可能なバッテリを備えることを特徴とする請求項１に記載の携帯及び使用に便利な電気式ガスライタ。
【請求項５】
上記クリップ部は、上記点火スイッチに着脱自在に構成されることを特徴とする請求項１に記載の携帯及び使用に便利な電気式ガスライタ。
【請求項６】
上記クリップ部の一側面には、両面テープ、摩擦係数の大きいゴムパッド、吸着パッドのうち何れか一つが付着されることを特徴とする請求項１〜５のうち何れか一項に記載の携帯及び使用に便利な電気式ガスライタ。
【発明の詳細な説明】
【技術分野】
【０００１】
本発明は、電気式ガスライタに関し、タバコ箱と一体に携帯可能で、該タバコ箱に結合されている状態で点火が可能なように構造が改善された電気式ガスライタに関する。
【背景技術】
【０００２】
一般に、タバコを喫煙しようとする場合、マッチや携帯用点火手段であるライタが必須的に備えられていなければならない。
【０００３】
このようなライタは、大部分がガスまたはガソリンなどを燃料とし、使用時にはライタの胴体上部に備えられた点火手段を通して上記燃料を燃焼させて発生した炎を利用してタバコを喫煙できるようにするものである。
【０００４】
しかし、タバコとライタとは別個になっていて、タバコとライタを別途携帯しなければならないため、タバコに火を点ける時はタバコとライタをそれぞれ探さなければならないという手間があり、またライタは紛失しやすくて、タバコを吸おうとする際にライタを所持しておらず火を点けられない場合が度々発生するといった問題点がある。更にタバコ箱に入っているタバコを取り出し別途のライタを利用してそのタバコに火を点けなければならないため、両手を使用する必要があるといった面倒な問題点がある。
【０００５】
従って、大部分の喫煙家はタバコを喫煙する場合、上記ライタを紛失したり携帯しておらず、これを新しく購入したり喫煙できない場合を度々経験することになる。かかる問題点から、喫煙家の一部は小さいサイズの使い捨てライタをタバコ箱の外皮内に収納して使用する場合があるが、これはタバコ喫煙時に上記使い捨てライタをタバコ箱から取り出すのが手間であるという問題がある。
【発明の概要】
【発明が解決しようとする課題】
【０００６】
本発明の目的は、タバコ箱に結合した状態での携帯が可能で、タバコ箱に結合した状態で点火が可能であるなど携帯性及び使用性が顕著に向上した電気式ガスライタを提供することにある。
【課題を解決するための手段】
【０００７】
本発明による電気式ガスライタは、胴体及び上記胴体に対してスライド可能なスイッチを備えた電気式ガスライタにおいて、
上記スイッチは、タバコ箱に嵌められ得るように弾性変形可能なクリップ部を備え、
上記クリップ部は、タバコ箱の壁面厚さよりも広い幅を有するガイド部；及び
上記タバコ箱の壁面厚さよりも狭い幅を有する固定部；を備えることを特徴とする。
【０００８】
上記ガイド部の開放端は、上記クリップ部の長さ方向と垂直に形成されたフランジ部を備えることが望ましい。
【０００９】
上記クリップ部は、携帯電話などに連結ストラップによって連結可能なように連結ストラップ用孔を備え、
上記胴体は、点火時にユーザーの指が支持され得る溝部を備えることが望ましい。
【００１０】
上記胴体は、携帯用電子機器に使用可能なバッテリを備えることが望ましい。
【００１１】
上記クリップ部は、上記点火スイッチに着脱自在に構成されることが望ましい。
【００１２】
上記クリップ部の一側面には、両面テープ、摩擦係数の大きいゴムパッド、吸着パッドのうち何れか一つが付されることが望ましい。
【発明の効果】
【００１３】
本発明による電気式ガスライタは、タバコ箱と一体に携帯可能であるばかりか、タバコ箱に結合されている状態で点火が可能で、携帯性及び使用利便性が顕著に向上した電気式ガスライタを提供する効果がある。また、本発明の望ましい実施例のように、クリップ部に両面テープを付着させた場合は、携帯電話などの胴体表面に付着させて携帯できるという効果がある。また、本発明の望ましい実施例のように、クリップ部に連結ストラップ用孔が設けられた場合は、携帯電話などに連結して簡便に携帯できるという効果がある。また、本発明の望ましい実施例のように、胴体に補助バッテリを備えた場合は、携帯電話やＰＭＰ、ＤＭＢなど携帯用電子機器の予備バッテリとして使用可能であるという効果がある。また、本発明の他の実施例のように、クリップ部が点火スイッチと分離可能な構造に製造されている場合は、使い捨てガスライタを使いきった後にガスライタだけを交換して半永久的に使用できるという効果がある。
【図面の簡単な説明】
【００１４】
【図１】本発明の望ましい実施例による電気式ガスライタの斜視図である。
【図２】図１に示した電気式ガスライタの概略側面図である。
【図３】図１に示した電気式ガスライタのより詳しい斜視図である。
【図４】図１に示した電気式ガスライタの使用法を説明するための図である。
【図５】図１に示した電気式ガスライタの使用法を説明するための図である。
【図６】図１に示した電気式ガスライタの他の部位を説明するための図である。
【図７】本発明の他の実施例を説明するための図である。
【図８】本発明のもう一つの実施例を説明するための図である。
【発明を実施するための形態】
【００１５】
以下、添付図面を参照しながら本発明による望ましい一実施例を詳しく説明する。
【００１６】
図１は、本発明の望ましい実施例による電気式ガスライタの斜視図である。図２は、図１に示した電気式ガスライタの概略側面図である。図３は、図１に示した電気式ガスライタのより詳しい斜視図である。図４及び図５は、図１に示した電気式ガスライタの使用法を説明するための図である。図６は、図１に示した電気式ガスライタの他の部位を説明するための図である。
【００１７】
図１乃至図６を参照すると、本発明の望ましい一実施例による電気式ガスライタ１０は、胴体２０、点火スイッチ２５及びクリップ部３０を含んでいる。
【００１８】
上記胴体２０は、溝部２２及びバッテリ２４を含んでいる。上記胴体２０は、その内部に燃料容器（図示せず）及び圧電素子などライタ１０の点火機能を遂行するための構成要素を備えている。このような構成要素は、従来の公知となった技術から容易に可能で本発明の特徴的部分ではないことから、これ以上の詳しい叙述は省略する。
【００１９】
上記溝部２２は、点火機能の遂行のためにユーザーが指などで外力を加えやすくするために設けられている。即ち、上記溝部２２は、点火時にユーザーの指によって上記胴体が支持され得るようにするためのものである。上記溝部２２は、胴体の表面に部分的に凹んで形成されている。
【００２０】
上記バッテリ２４は、上記胴体の一側面に配置されている。上記バッテリ２４は、充電と放電が繰り返し可能な、例えばリチウムイオンバッテリなどのような二次電池であることが望ましい。上記バッテリ２４は、公知となった様々な方法により上記胴体に設置可能である。即ち、例えば上記バッテリ２４は、上記胴体２０に収容空間を設けて嵌め込んでもよく、磁石のような手段によって上記胴体２０に付着させてもよく、スプリングやゴムバンドなどのような弾性手段によって上記胴体２０に固定してもよい。
【００２１】
上記点火スイッチ２５は、上記胴体２０にスライド可能に設けられている。より具体的には、上記点火スイッチ２５は、図２に示されている‘Ｘ’方向へ上記胴体２０に対してスライド可能に設けられている。上記点火スイッチ２５は、上記胴体２０の内部に備えられた圧電素子を作動させて電気的な炎を起こす一方で、燃料容器のガス噴射ノズルを開閉する役割を果たす。上記点火スイッチ２５が圧電素子を作動させる構造及び燃料容器のガス噴射ノズルを開閉する構造は、従来の電気式ガスライタの構造と同一であるため、これ以上の詳しい叙述は省略する。
【００２２】
上記クリップ部３０は、上記点火スイッチ２５に備えられている。上記クリップ部３０は、タバコ箱に嵌められ得るように弾性変形可能な構造になっている。本発明の実施例では、上記クリップ部３０は上記点火スイッチ２５と分離不可能なように一体形成されている。上記クリップ部３０は、タバコ箱１００に嵌められて固定される部分である。上記クリップ部３０は、ガイド部３２、固定部３４、フランジ部３６及び連結ストラップ用孔３８を備えている。
【００２３】
上記ガイド部３２は、タバコ箱１００の壁面厚さよりも広い幅を有する部分である。上記ガイド部３２は、タバコ箱１００に上記クリップ部３０が嵌められる時、そのタバコ箱１００とクリップ部３０とがある程度の誤差をもって接近しても容易に結合させるために備えられるものである。上記固定部３４は、タバコ箱１００の壁面厚さよりも狭い幅を有する部分である。上記固定部３４は、上記クリップ部３０がタバコ箱１００に嵌められる時、弾性変形され圧縮復元力によりそのタバコ箱１００の壁面両側に圧力を加えた状態でその壁面に支持される。
【００２４】
上記フランジ部３６は、上記ガイド部３２の開放端に設けられている。上記フランジ部３６は、上記クリップ部３０の長さ方向Ｘと垂直に形成されている。上記フランジ部３６は、タバコ箱１００と上記クリップ部３０とが結合する時、そのタバコ箱に加えられる圧力を分散することによって、そのタバコ箱１００の壁面がしわになったり破れたりするのを防止するために設けられる。
【００２５】
上記連結ストラップ用孔３８は、上記クリップ部３０の上部に設けられている。上記連結ストラップ用孔３８は、連結ストラップなどを用いて上記クリップ部３０を携帯電話などに連結可能にするために設けられる。
【００２６】
上記クリップ部３０の一側面には両面テープ３９が付着されている。より具体的には、上記両面テープ３９は上記点火スイッチ２５の反対側に付着されている。上記両面テープ３９は、上記電気式ガスライタ１０を点火する場合に、タバコ箱に固定させずに、携帯電話やその他上記クリップ部３０を上記点火スイッチ２５に対して相対固定可能な物に付着させた後、上記胴体２０を図２に示されている‘Ｘ’方向へスライドさせる場合に用いられることができる。図６に示されているように、本発明の望ましい実施例において上記両面テープ３９を用いたが、図７に示されているように、他の実施例においては上記両面テープの代わりに吸着パッド３９ａを用いてもよい。また、図面には示していないが、上記両面テープ３９の代わりに摩擦係数が相対的に大きいゴムパッドを付着させてもよい。
【００２７】
以下、上述のように構成された本実施例による電気式ガスライタ１０の作用を、ユーザーがタバコ箱と共に使用する場合を例に上げて詳しく叙述する。
【００２８】
まず、本発明による電気式ガスライタ１０をタバコ箱１００と結合する場合について説明する。本発明による電気式ガスライタ１０は、点火スイッチ２５を相対固定した状態で胴体２０をその点火スイッチ２５に対して相対移動、即ちスライド移動させて胴体２０の内部に設けられた点火器具を作動させるようになっている。
【００２９】
ユーザーが本発明による電気式ガスライタとタバコ箱とを結合しようとする場合には、まずタバコ箱１００の蓋を開ける。その次に、上記クリップ部３０に設けられたガイド部３２を上記タバコ箱１００の蓋の端部に接近させる。上記タバコ箱１００の蓋の端部が上記ガイド部３２に進入すれば、その方向へ上記クリップ部３０を移動し続ける。すると、上記固定部３４が上記タバコ箱１００の蓋の壁面厚さによって弾性変形しながら上記タバコ箱１００の壁面両側をしっかり支持するようになる。また、上記フランジ部３６は上記タバコ箱１００の他の壁面に支持されながら、上記クリップ部３０は上記タバコ箱の蓋にしっかり固定される。このような状態で上記タバコ箱１００の蓋を閉じる。すると、図１に示されているように、タバコ箱１００に本発明による電気式ガスライタ１０が結合される。このような状態で上記タバコ箱１００と電気式ガスライタ１０とを一体に携帯すれば、喫煙のためにユーザーがライタを別途携帯しなくてもよいため、ライタを紛失する恐れがなくなる。このように本発明による電気式ガスライタは携帯性に優れているという効果がある。
【００３０】
以下、本発明による電気式ガスライタを用いて喫煙するためにタバコ箱１００からタバコを取り出しそのタバコに火を点ける場合を説明する。タバコ箱１００からタバコ１１０を取り出すためには、図１に示されている状態のタバコ箱１００と電気式ガスライタ１０をポケットなどから取り出して、図５のように指で上記電気式ガスライタ１０の胴体２０の下部を押し上げれば、タバコ箱１００の蓋が開く。上記タバコ箱１００からタバコを一本取り出した後に、再び上記胴体２０の上部を押さえて上記タバコ箱１００の蓋を閉じる。その後に、図４に示されているように、タバコ１１０を口にくわえたり手に持った状態で、上記胴体２０に設けられた溝部２２にユーザーの指を支持して矢印方向へ上記胴体２０を押し上げる。上記胴体２０が上記点火スイッチ２５に対して相対移動すれば、その胴体２０に内蔵されている点火器具が作動してライタ１０に点火がなされ、その結果、タバコ１１０に火を点けることができる。このように本発明による電気式ガスライタ１０は、タバコ箱１００に固定された状態で点火が可能であるという効果があり、タバコ箱１００の蓋に固定されることによりそのタバコ箱１００を開閉する取手の役割を果たせるという効果もある。かかる過程で、上記胴体２０に設けられた溝部２２は、ユーザーがその胴体２０に効果的に外力を加えられるようにするという効果がある。また、本発明の望ましい実施例のように、上記胴体２０にバッテリが備えられれば、そのバッテリ２４を利用して携帯電話やＰＭＰなど電子機器に予備用電気を供給できる効果がある。また、本発明による電気式ガスライタ１０は、連結ストラップ用孔３８を備えていて、携帯電話などにストラップを用いて連結可能であるため、タバコ箱１００に取り付けなくても、非喫煙者が野外でライタ１０を利用する場合にその携帯性が向上するという効果がある。また、本発明の望ましい実施例のように、上記クリップ部３０に両面テープ３９が付着されている場合には、その両面テープ３９を用いて携帯電話やリュックサックなどに上記電気式ガスライタ１０を付着させて携帯できるだけでなく、片手でその電気式ガスライタ１０を使用する場合に、野外では岩、室内では冷蔵庫などのような固定された物体に上記クリップ部３０を相対固定した状態で上記ライタ１０を点火できるという効果がある。このような効果は、上述の両面テープ３９の代わりにゴムパッドや吸着パッド３９ａを用いる場合にも同様に具現できる。
【００３１】
本発明の実施例において、上記ガイド部の開放端は上記クリップ部の長さ方向と垂直に形成されたフランジ部を備えることと叙述したが、フランジ部が備えられなくても、上記タバコ箱の壁面が十分な剛性を有するならば本発明の目的を達成することができる。
【００３２】
本発明の実施例において、上記クリップ部は携帯電話などに連結ストラップによって連結可能なように連結ストラップ用孔を備え、上記胴体は点火時にユーザーの指が支持され得る溝部を備えることと叙述したが、連結ストラップ用孔又は溝部が備えられなくても、効果は多少落ちるものの本発明の目的を達成することができる。
【００３３】
本発明の実施例において、上記胴体は携帯用電子機器に使用可能なバッテリを備えることと叙述したが、上記バッテリが備えられなくても、本発明の目的を達成することができる。
【００３４】
本発明の実施例において、上記クリップ部は上記点火スイッチと分離不可能なようにその点火スイッチに一体形成されることと説明したが、図８に示されているように、本発明の他の実施例による電気式ガスライタ１０ｂはクリップ部３０ｂが点火スイッチ２５に着脱自在に構成されても、本発明の目的を達成することができる。図８を参照すれば、クリップ部３０ｂは係止段３５を備え、点火スイッチ２５は係止部２５ｂを備えて、その係止段３５が上記係止部２５ｂに締まりばねによって係止されることにより、クリップ部３０と点火スイッチ２５とが相対固定され得るようになっている。このような構造以外にも多様な形態の分離可能な構造が可能であることは、本発明の属する技術分野についての通常の知識を有する者であれば容易に理解可能なことである。
【００３５】
以上、望ましい実施例を挙げて本発明を詳しく説明したが、本発明は上記実施例に限定されるものではなく、本発明の技術的思想内で、該当分野についての通常の知識を有する者により多様な変形が可能であることは明白である。
【符号の説明】
【００３６】
１０、１０ｂ  電気式ガスライタ
２０  胴体
２２  溝部
２４  バッテリ
２５  点火スイッチ
２５ｂ  係止部
３０、３０ｂ  クリップ部
３２  ガイド部
３４  固定部
３５  係止段
３６  フランジ部
３８  連結ストラップ用孔
３９  両面テープ
１００  タバコ箱
１１０  タバコ
Ｘ  クリップ部の長さ方向
【図１】
2011509391.tif 000003
【図２】
2011509391.tif 000004
【図３】
2011509391.tif 000005
【図４】
2011509391.tif 000006
【図５】
2011509391.tif 000007
【図６】
2011509391.tif 000008
【図７】
2011509391.tif 000009
【図８】
2011509391.tif 000010
【国際調査報告】
2011509391.tif 000011
2011509391.tif 000012
2011509391.tif 000013
2011509391.tif 000014